(57)【要約】 【課題】  パウチの狭幅の側面が手前になるように重ねて吊り下げることができ、しかもパウチへの押圧方向が前方となるように構成することができ、絞り出し操作が簡単であり、多数、多種類のパウチを使用することができるパウチ容器注出補助治具を提供する【解決手段】  パウチ容器から内容液を絞り出すための絞り出し補助治具であって、絞り出し具はパウチ容器を吊り下げて収容可能な吊り下げ用空間を含む内部空間をほぼ囲む枠体２２とカバー部材２３とを有し、枠体２２はパウチ容器を吊り下げ支持可能であり、カバー部材は枠体２２に係合して空間を開閉可能であり、左右方向に変位可能で吊り下げ用空間を間にして対向して配置された一対の挾圧部と、前後方向に動作方向を持つ押ボタン部材と、押ボタンの前後方向の変位を挾圧部材の挾圧部の左右方向の変位に変換するカム装置とを有する【選択図】  図１
2005067670.tif 000002
【特許請求の範囲】
【請求項１】
パウチ容器から内容液を注出するための注出補助治具であって、前記注出補助治具は前記パウチ容器を吊り下げて収容可能な吊り下げ用空間を含む内部空間をほぼ囲む枠体とカバー部材とを有し、前記枠体は前記パウチ容器を吊り下げ支持可能であり、前記カバー部材は前記枠体に係合して前記空間を開閉可能であり、左右方向に変位可能で前記吊り下げ用空間を間にして対向して配置された一対の挾圧部と前記挾圧部を原位置に復帰させる挾圧部復帰ばねとを有する挾圧部材と、前後方向に動作方向を持つ押ボタン部材と前記押ボタン部材を原位置に復帰させる押ボタン復帰ばねとを有する押ボタン装置と、前記押ボタンの前後方向の変位を前記挾圧部材の前記挾圧部の前記左右方向の変位に変換するカム装置とを有することを特徴とするパウチ容器注出補助治具。
【請求項２】
前記カバー部材は上下方向に配設されたヒンジを介して前記枠体に回転可能に係合していることを特徴とするパウチ容器注出補助治具。
【請求項３】
前記挾圧部材の挾圧部及び前記押ボタン装置の押ボタン部材をそれぞれの原位置に復帰させる復帰用バネが取り付けられていることを特徴とするパウチ容器注出補助治具。
【請求項４】
前記挾圧部材の挾圧部は前記枠体に支持されており、前記押ボタン装置の押ボタン部材は前記カバー部材に支持されていることを特徴とするパウチ容器注出補助治具。
【請求項５】
前記カム装置は斜面からなるカム面を有するカムと前記カム面に接触可能な曲面を有するフォロワーとを備え、前記カムは前記押ボタン部材に取り付けられ、前記フォロワーは前記挾圧部に取り付けられていることを特徴とするパウチ容器注出補助治具。
【発明の詳細な説明】
【技術分野】
【０００１】
この発明はパウチ容器に充填された液体、半液体内容物を定量ずつ注出する場合に使用する補助治具に関するものである。
【背景技術】
【０００２】
プラスチックフィルムをヒートシールして構成した図１０、図１１に示すようなパウチに液体または半液体の内容物を充填することは従来から行われている。このパウチは硬質の容器の内容物が消費によって空になったときに内容物の詰め替えとして使用されることもあるが、最近は硬質容器の使用をさけて、パウチ自体を内容物の注出のための容器として使用することが考えられている。しかるに、パウチ容器は剛性が小さいので容器として一定形状を保つことが難しい。また、このことによってパウチから一定量だけ内容物を注出する定量性を持たせることが難しい。
【０００３】
そこで最近、パウチを注出口を下にして壁などから吊り下げて使用することによって、パウチの不定形性を補完することが考えられている。この場合、注出の定量性を持たせるためには、パウチの注出口に弁機構を設けたり、或いは、パウチ素材の密接性を利用することが考えられている。
【０００４】
【特許文献１】特開２００２−３３２０７６
【発明の開示】
【発明が解決しようとする課題】
【０００５】
しかるに、吊り下げたパウチを手指で押して、内容物を押し出し注出する場合には、パウチ上の同じ位置を毎回正しく同じように押すことは困難であるために、注出量を毎回一定にすることは難しく、また、パウチの上面に押す箇所を印刷表示した場合でも、押す人によって、押し方が異なり、これによって注出の定量性を保つことができない。
【０００６】
そこで本件特許出願の出願人は先にパウチ注出用補助治具及び定量注出パウチを提案した（特許文献１参照）。
【０００７】
この新たに提案された補助治具は主に枠部材とカバー部材とで構成し、パウチを枠部材に吊り下げ、カバー部材を前方に押しパウチを押して液体内容物を絞り出す構造のものである。この提案された補助治具は、カバー部材を単純に前方に押して、パウチ容器から内容物を絞り出すので、操作がきわめて簡潔、明快であるが、押圧方向がパウチの広幅の正面に垂直になるようにパウチが吊り下げられるので、補助治具の幅の制約から、多数、多種類のパウチを吊り下げることができない。そこでパウチの狭幅の側面が手前になるように重ねて吊り下げることも考えられるが、この場合には押圧部位であるパウチの正、背面が横を向くことから注出操作としてのカバー部材の押圧方向が左右方向になるので、操作がやり難い。
【０００８】
この発明は上記の如き事情に鑑みてなされたものであって、パウチの狭幅の側面が手前になるように重ねて吊り下げることができ、しかも注出操作としてのパウチへの押圧方向が前方となるように構成することができ、絞り出し操作が簡単であり、多数、多種類のパウチを使用することができるパウチ容器注出補助治具を提供することを目的とするものである。
【課題を解決するための手段】
【０００９】
この目的に対応して、この発明のパウチ容器注出補助治具は、パウチ容器から内容液を注出するための注出補助治具であって、前記注出補助治具は前記パウチ容器を吊り下げて収容可能な吊り下げ用空間を含む内部空間をほぼ囲む枠体とカバー部材とを有し、前記枠体は前記パウチ容器を吊り下げ支持可能であり、前記カバー部材は前記枠体に係合して前記空間を開閉可能であり、左右方向に変位可能で前記吊り下げ用空間を間にして対向して配置された一対の挾圧部と前記挾圧部を原位置に復帰させる挾圧部復帰ばねとを有する挾圧部材と、前後方向に動作方向を持つ押ボタン部材と前記押ボタン部材を原位置に復帰させる押ボタン復帰ばねとを有する押ボタン装置と、前記押ボタンの前後方向の変位を前記挾圧部材の前記挾圧部の前記左右方向の変位に変換するカム装置とを有することを特徴としている。
【発明の効果】
【００１０】
この発明のパウチ注出用補助治具ではパウチを吊り下げるための個々の空間が狭幅の側面が手前に向くように設定されているので、その空間を密に配置することができ、多数のパウチを吊り下げることができ、多種の液体内容物の絞り出しが可能である。押ボタンは補助治具の前面に設けられ、絞り出しに当たっては前方に押すことになるが、この動作は最も普通の自然かつ単純な動作ですむことになる。しかも、この押ボタンに加えられる前方への力はカム装置によって左右方向の力に変換され、横向きのパウチの正面から押圧が行われるので、パウチからの絞り出しによる注出は確実である。
【発明を実施するための最良の形態】
【００１１】
以下、この発明の詳細を一実施形態を示す図面について説明する。まずパウチについて説明する。図１０は、パウチを示す斜視図、図１１は図１０のパウチを吊り下げて使用する状態を示す図である。
【００１２】
このパウチ１には、パウチ本体２の頂部近辺に先端に注出口３を有する分岐部４が設けられており、パウチの底部には内側に折り込んだガゼット部（図示せず）がヒートシールされている。パウチ底部のヒートシール部５には、後述するパウチ注出用補助治具２１のハンガー３６に懸吊するための開口８が設けられている。
【００１３】
このパウチでは、パウチ本体２と分岐部４は、易剥離性シール部７により仕切られ、分岐部４のヒートシール部１１の先端部近辺には、注出口３を形成するための易開封加工部１２が設けられている。パウチ本体２には、洗剤、シャンプー、化粧水等の液状の内容物１３が充填されている。
【００１４】
このスタンディングパウチ１を使用する際には、分岐部４をパウチ本体２の延長線上に折り返し、パウチ本体２に充填された内容物１３を手指で押圧することによって、内容物１３に圧力をかけ、パウチ本体２と分岐部４を仕切る易剥離性シール部７を破壊し両者を連通させる。
【００１５】
そして、開口部８をハンガー３６に刺し通してパウチ１を逆さに垂直に懸吊する。次に分岐部４の先端部に形成した易開封加工部１２を指で開封することによって注出口３を形成する。内容物１３は、注出口３の直上部の押圧部位１４を後述するパウチ注出用補助治具２１の挾圧部で挾んで押圧し、注出口３を変形開口させることによって絞り出すことができるが、押圧を中止すると注出口３は閉鎖される。
【００１６】
次に以上説明したパウチ１について使用するパウチ用補助治具２１について説明する。
図１から図５において２１はパウチ注出用補助治具である。パウチ注出用補助治具２１はパウチ１から液体の内容物を絞り出しにより注出するための補助治具である。パウチ注出用補助治具２１は全体として箱状をなし、前面開放の枠体２２と枠体２２の前面を開閉するカバー２３とを備えている。カバー２３が枠体２２の前面を閉じた状態においてはパウチ注出用補助治具２１は全体として大略箱状をなし、正面２４、背面２５、左側面２６、右側面２７及び天面２８は閉じている。底面３１も大略閉じているが、但し１個若しくは複数の開口３２が形成されている（図９参照）。この開口３２は後述する内容物１３が注出されてパウチ注出用補助治具２１から外部に滴下するときに通過する開口である。枠体２２は左側壁４２、右側壁４３、天壁４４、底壁４５及び背壁４６を有し、正面は開放である。背壁４６には壁掛け用の孔４７（図７参照）が設けられている。一方カバー２３にはボタン用窓４８が（この実施形態の場合は２個）開設されている。
【００１７】
図６から図９に示すように、枠体２２とカバー２３とは協働して内部空間３３を区画し、枠体２２とカバー２３とは側部が上下方向に配設されたヒンジ３４によって連結されており、カバー２３はこのヒンジ３４に関して回転して内部空間３３を開閉可能である。
【００１８】
内部空間３３内にはパウチ１を吊り下げて収容可能な１個若しくは複数の吊り下げ用空間３５が含まれており、さらにパウチ吊り下げハンガー３６、挾圧部材３７、押ボタン装置３８、カム装置４１が配置されている。
【００１９】
吊り下げ用空間３５はパウチ１を吊り下げて収容するための仮想の空間で、パウチ１の幅、高さ、厚みに対応した幅、高さ、厚みを有する直方体で幅の方向が内部空間３３の前後の方向（奥行きの方向）と平行になり、高さの方向が内部空間３３の上下の方向に平行になり、厚みの方向が内部空間３３の左右の方向と平行になるように配置が想定されている。
【００２０】
この実施形態では吊り下げ用空間３５は２個が準備されている。つまりこのパウチ注出用補助治具２１はパウチ２個用である。パウチ吊り下げ用ハンガー３６はパウチ１を吊り下げるためのもので、吊り下げ用空間３５の上方において枠体２２に固定支持されている。
【００２１】
挾圧部材３７はパウチ１の押圧部位６を両側から挾圧して内容物１３をパウチ１から絞り出す動作をするためのものであって、パウチ１の押圧部位６の対応する高さ位置において、吊り下げ用空間３５を挾んで両側に対向して左右方向に変位可能に配置された挾圧部５１を有し、挾圧部５１は板ばねからなる復帰ばね５２を介して枠体２２の背壁４６から支持されている。
【００２２】
押圧ボタン装置３８はパウチ１を絞る動作をするために外部から操作者が押して前後方向の動きを与えるためのもので、押ボタン装置３８においては押ボタン部材５３が前後方向に変位可能にかつボタン用窓４８からのぞいた状態で配置され、板ばねからなる復帰ばね５４を介してカバー２３から支持されている。
【００２３】
復帰ばね５４の下端にはガイド溝５５が形成されており、一方、カバー２３の内面にはガイド条５６が前後方向に形成され、ガイド溝５５がガイド条５６に摺動可能に嵌合することによって押ボタン部材５３の動きが前後方向にだけ案内されるように構成されている。
【００２４】
押圧ボタン装置３８と挾圧部材３７との間にはカム装置４１が設けられている。カム装置４１は押ボタン部材５３の前後方向の動きの方向を挾圧部５１に左右方向の動きに変換して伝達するものである。
【００２５】
カム装置４１はカム５７とフォロワー５８とを有し、カム５７は約４５°の斜面からなるカム面６１を有し、またフォロワー５８は曲面６２を有し、カム面６１がフォロワー５８に接触した状態でカム５７が前後方向に変位すると、フォロワー５８は左右方向に従動してパウチ１を挾圧し、また解放する。カム５７は押圧ボタン部材５３の先端に固定しており、また、フォロワー５８は挾圧部５１の背面に固定している。
【００２６】
このように構成されたパウチ注出用補助治具２１におけるパウチ１の注出操作は次の通りである。
【００２７】
パウチ注出用補助治具２１を洗面所の流しの近傍の壁面に壁掛け用の孔４７を利用して取り付ける。次にカバー２３を開け、パウチ吊り下げハンガー３６にパウチ１を吊り下げる。次にカバー２３を閉じる。これで使用前の準備は完了する。
【００２８】
次に、洗顔や手洗いのためにパウチ１から内容物１３を注出する動作は次のようにする。押ボタン部材５３を手指で前方に押す。押ボタン部材５３の動きはカム５７のカム面６１とフォロワー５８の曲面６２との接触点で垂直に方向変換されて挾圧部５１に伝達され一対の挾圧部５１が左右方向に対向して動き、吊り下がっているパウチ１の押圧部材６を挾圧して、内容物１３がパウチ１の注出口３から絞り出され、パウチ注出用補助治具２１の底面３１の開口３２を通して滴下するので、これを手掌で受ければ、洗顔や手洗いに供することができる。
【００２９】
このように、この発明のパウチ注出用補助治具ではパウチを吊り下げるための個々の空間が狭幅の側面が手前に向くように設定されているので、その空間を密に配置することができ、多数のパウチを吊り下げることができ、多種の液体内容物の絞り出しが可能である。押ボタンは補助治具のカバーの前面に設けられ、絞り出しに当たっては前方に押すことになるが、この動作は最も普通の自然かつ単純な動作ですむことになる。しかも、この押ボタンに加えられる前方への力はカム装置によって左右方向の力に変換され、パウチの正面から押圧が行われるので、パウチからの絞り出しは確実である。
【００３０】
以上の説明から明らかな通り、この発明によればパウチの狭幅の側面が手前になるように重ねて吊り下げることができ、しかもパウチへの押圧方向が前方となるように構成することができ、絞り出し操作が簡単であり、多数、多種類の内容物のパウチを使用することができるパウチ容器注出補助治具を得ることができる。
【図面の簡単な説明】
【００３１】
【図１】パウチ注出用補助治具の斜視説明図。
【図２】パウチ注出用補助治具の正面図。
【図３】パウチ注出用補助治具の右側面図。
【図４】パウチ注出用補助治具の平面図。
【図５】パウチ注出用補助治具の底面図。
【図６】図２におけるVI−VI部断面図。
【図７】図３におけるVII−VII部断面図。
【図８】図４におけるVIII−VIII部断面図。
【図９】図２におけるIX−IX部断面図。
【図１０】パウチの斜視説明図。
【図１１】パウチの吊り下げた状態の斜視説明図。
【符号の説明】
【００３２】
１    パウチ
２    パウチ本体
３    注出口
４    分岐部
５    ヒートシール部
６    押圧部位
７    易剥離性シール部
８    開口
１０  易剥離性シール部
１１  ヒートシール部
１２  易開封加工部
１３  内容物
１４  押圧部位
２１  パウチ注出用補助治具
２２  枠体
２３  カバー
２４  正面
２５  背面
２６  左側面
２７  右側面
２８  天面
３１  底面
３２  開口
３３  内部空間
３４  ヒンジ
３５  吊り下げ用空間
３６  パウチ吊り下げハンガー
３７  挾圧部材
３８  押ボタン装置
４１  カム装置
４２  左側壁
４３  右側壁
４４  天壁
４５  底壁
４６  背壁
４７  壁掛け用の孔
４８  ボタン用窓
５１  挾圧部
５２  復帰ばね
５３  押ボタン部材
５４  復帰ばね
５５  ガイド溝
５６  ガイド条
５７  カム
５８  フォロワー
６１  カム面
６２  曲面
【図１】
2005067670.tif 000003
【図２】
2005067670.tif 000004
【図３】
2005067670.tif 000005
【図４】
2005067670.tif 000006
【図５】
2005067670.tif 000007
【図６】
2005067670.tif 000008
【図７】
2005067670.tif 000009
【図８】
2005067670.tif 000010
【図９】
2005067670.tif 000011
【図１０】
2005067670.tif 000012
【図１１】
2005067670.tif 000013